(57)【要約】【課題】  常圧よりも高圧な状態を維持しつつ、高圧下で特定の疾患に対する対処手段を備える高圧ルームを提供することができる。【解決手段】  居住空間を形成するチャンバと、チャンバ内の気圧を、常圧よりも高圧に維持するための加圧手段と、チャンバ内の天井又は壁から、人がぶら下がることができるぶら下がり手段とを備え、ぶら下がり手段が棒状部材、吊り輪状部材又は垂下部材であることを特徴とする。【選択図】図１
0003218114.tif 000002
【実用新案登録請求の範囲】
【請求項１】
室内の気圧を常圧より高圧に維持可能な居住空間を有する高圧ルームにおいて、
該居住空間を形成するチャンバと、
該チャンバ内の気圧を、常圧よりも高圧に維持するための加圧手段と、
該チャンバ内の天井又は壁から、人がぶら下がることができるぶら下がり手段とを備えることを特徴とする高圧ルーム。
【請求項２】
前記ぶら下がり手段が、前記チャンバ内の天井又は壁に横臥して設けられた棒状部材であることを特徴とする請求項１記載の高圧ルーム。
【請求項３】
前記ぶら下がり手段が、前記チャンバ内の天井又は壁に設けられた吊り輪状部材であることを特徴とする請求項１記載の高圧ルーム。
【請求項４】
前記ぶら下がり手段が、前記チャンバ内の天井又は壁に設けられた前記人の上半身を吊り下げる垂下部材であることを特徴とする請求項１記載の高圧ルーム。
【考案の詳細な説明】
【技術分野】
【０００１】
本考案は、室内の気圧を常圧より高圧に維持可能な居住空間を有する高圧ルームに関する。
【背景技術】
【０００２】
従来より、室内の気圧を常圧より高圧に設定して高圧酸素治療や高地トレーニングが行われている。例えば、特許文献１の気圧トレーニング装置は、気密可能な気密室と、気密室内に設けられ気密室内の空気を排気して減圧する減圧ポンプ及び、気密室外に設けられ気密室内に空気を給気して加圧する加圧ポンプと、減圧ポンプ及び加圧ポンプを通電制御するポンプ制御手段と、を有し、ポンプ制御手段は、最初にポンプを減圧動作させることで気密室内を減圧状態で一定時間継続させた後、ポンプを加圧動作させることで、気密室内を常圧よりも高い加圧状態で一定時間継続させ、その後減圧状態と加圧状態とを所定間隔で交互に繰り返すようポンプを制御することを特徴としている。
【先行技術文献】
【特許文献】
【０００３】
【特許文献１】特開２０１５−３７４４６号公報
【考案の概要】
【考案が解決しようとする課題】
【０００４】
しかしながら、従来の気圧トレーニング装置では、常圧よりも高圧な状態を維持することはできても、高圧下で特定の疾患に対する対処手段を有する手段を備えてはいない。
【０００５】
本考案は、このような事情に鑑みてなされたもので、常圧よりも高圧な状態を維持しつつ、高圧下で特定の疾患に対する対処手段を備える高圧ルームを提供することができる。
【課題を解決するための手段】
【０００６】
請求項１記載の高圧ルームは、居住空間を形成するチャンバと、チャンバ内の気圧を、常圧よりも高圧に維持するための加圧手段と、チャンバ内の天井又は壁から、人がぶら下がることができるぶら下がり手段とを備えることを特徴とする。
【０００７】
請求項２記載の高圧ルームは、ぶら下がり手段が、チャンバ内の天井又は壁に横臥して設けられた棒状部材であることを特徴とする。
【０００８】
請求項３記載の高圧ルームは、ぶら下がり手段が、チャンバ内の天井又は壁に設けられた吊り輪状部材であることを特徴とする。
【０００９】
請求項４記載の高圧ルームは、ぶら下がり手段が、チャンバ内の天井又は壁に設けられた人の上半身を吊り下げる垂下部材であることを特徴とする。
【考案の効果】
【００１０】
本願考案の高圧ルームによれば、常圧よりも高圧な状態を維持しつつ、高圧下で特定の疾患に対する対処手段を備えることができる。
【図面の簡単な説明】
【００１１】
【図１】本考案に係る高圧ルームの構成の一例を示す説明図である。
【図２】本考案に係る高圧ルームの構成の他の例を示す説明図である。
【図３】本考案に係る高圧ルームの構成のさらに他の例を示す説明図である。
【考案を実施するための形態】
【００１２】
以下、本考案の形態について図面を参照しながら具体的に説明する。図１は、本考案に係る高圧ルームの構成の一例を示す説明図である。図２は、本考案に係る高圧ルームの構成の他の例を示す説明図である。図３は、本考案に係る高圧ルームの構成のさらに他の例を示す説明図である。
【００１３】
図における高圧ルーム１は、居住空間であり室内であるチャンバ内１０ａの気圧を常圧より高圧に維持可能なものである。居住空間を形成するチャンバ１０と、チャンバ内１０ａの気圧を上げるための加圧手段である加圧用コンプレッサ２０と、チャンバ内１０ａの気圧を、常圧よりも高圧な状態を維持したまま所定圧、気圧を下げることを基本的な動作とし、常圧に戻す場合には常圧に向かってチャンバ内１０ａの気圧を下げるための減圧手段である減圧用コンプレッサ２２とを備えている。また、チャンバ内１０ａの気圧をモニタするための圧力計３０も備えている。尚、高圧としては、１．２気圧から３気圧程度までである。
【００１４】
チャンバ１０は、人の身体が完全に収まる大きさで、基本的には、人が立った状態で上方向に手を伸ばすことができる大きさである。尚、広さは、複数人が入ることができる広さでもよく、様々である。そして、チャンバ１０は、図示しない出入口があり、チャンバ１０を閉じた状態では、チャンバ内１０ａは密閉空間になるような構造である。
【００１５】
加圧用コンプレッサ２０は、チャンバ内１０ａの気圧を上げるための加圧手段であり、チャンバ１０の外側又は内側に配置され（図では外側の例）、チャンバ内１０ａと連通している。加圧用コンプレッサ２０は、加圧手段の一例であり、ポンプ等の他の手段であってもかまわない。
【００１６】
減圧用コンプレッサ２２は、チャンバ内１０ａの気圧を、気圧を下げることを基本的な動作とし、常圧に戻す場合には常圧に向かってチャンバ内１０ａの気圧を下げるための減圧手段であり、チャンバ１０の内側に配置され（図では内側の例）、チャンバ内１０ａの空気を押し出すものである。図１は、減圧用コンプレッサ２２が、チャンバ内１０ａに配置された例であるが、チャンバ１０の外側に設け、チャンバ内１０ａの空気を吸い出すものであってもよい。減圧用コンプレッサ２２は、減圧手段の一例であり、ポンプ等の他の手段であってもかまわない。
【００１７】
尚、図示してはいないが、チャンバ内１０ａの気圧の調整のために、各種の弁構造を設けるようにしてもよい。
【００１８】
図１に示す高圧ルーム１には、人がぶら下がることができるぶら下がり手段３２を備えている。ぶら下がり手段３２の形状は様々であるが、図１の例では、チャンバ内１０ａの天井又は壁に横臥して設けられた棒状部材である。また、図２の高圧ルーム２では、人がぶら下がることができるぶら下がり手段３４として、チャンバ内１０ａの天井又は壁に設けられた吊り輪状部材が設けられている。さらに、図３の高圧ルーム３では、人がぶら下がることができるぶら下がり手段３６として、チャンバ内１０ａの天井又は壁に設けられた人の上半身を吊り下げる垂下部材が設けられている。
【００１９】
次に、本実施の形態における高圧ルーム１の動作の一例を説明する。まず、加圧手段である加圧用コンプレッサ２０を動作させて、チャンバ内１０ａの気圧を、所望の気圧だけ高くするようにする。そして、に所定間隔でチャンバ内１０ａの気圧を、常圧よりも高圧な状態を維持したまま所定圧、気圧を下げたい場合には、加圧用コンプレッサ２０の出力を調整しつつ、減圧手段である減圧用コンプレッサ２２を動作させて、気圧を下げるようにする。そして、最終的に、チャンバ内１０ａを通常の気圧状態（常圧状態）にする時は、加圧用コンプレッサ２０の動作を止めて、減圧用コンプレッサ２２を動作させるようにし、必要に応じて、図示しない弁構造を開放するようにしてもよい。
【００２０】
そして、チャンバ内１０ａが、高気圧に保たれた状態で、チャンバ内１０ａに居る人が、ぶら下がり手段３２，３４，３６にぶら下がるようにする。高気圧状態で人がぶら下がり手段３２，３４，３６にぶら下がると、骨盤・背骨の間隔が開き、髄核がずれ囲んでいる線維輪が傷ついた状態のぎっくり腰が、高気圧で髄核のずれが戻されて、痛みが緩和される。また、高気圧状態で人がぶら下がり手段３２，３４，３６にぶら下がると、骨盤・背骨の間隔が開き、線維輪に亀裂ができて髄核が外に飛び出した状態の椎間板ヘルニアにおいても、高気圧で髄核が内に戻されることで痛みが緩和される。いずれの場合も、神経を刺激しなくなることによるものである。
【００２１】
以上のような構造の本実施の形態に係る高圧ルーム１によれば、常圧よりも高圧な状態を維持しつつ、高圧下で特定の疾患に対する対処手段を備えている。
【産業上の利用可能性】
【００２２】
本考案により、常圧よりも高圧な状態を維持しつつ、高圧下で特定の疾患に対する対処手段を備える高圧ルームを提供することができる。
【符号の説明】
【００２３】
１・・・・・高圧ルーム
２・・・・・高圧ルーム
３・・・・・高圧ルーム
１０・・・・チャンバ
１０ａ・・・チャンバ内
２０・・・・加圧用コンプレッサ
２２・・・・減圧用コンプレッサ
３０・・・・圧力計
３２・・・・ぶら下がり手段
３４・・・・ぶら下がり手段
３６・・・・ぶら下がり手段
【図１】
0003218114.tif 000003
【図２】
0003218114.tif 000004
【図３】
0003218114.tif 000005